(57)【要約】  【課題】  携帯電話用の電子メールアドレスを含む複数の電子メールアドレスに対して同一内容の電子メールを送信する場合の作業の効率化を図ることを課題とする。  【解決手段】  電子メール送信装置において、電子メールの文面となるテキストデータの入力を受け付け、ＰＣ用電子メール記憶手段がパーソナルコンピュータの画面での表示に適合した電子メールデータとして、携帯用電子メール記憶手段が携帯電話の画面での表示に適合した電子メールデータとして記憶し、送信先の電子メールアドレスに関し携帯電話用の電子メールアドレスであると判断された場合は、前記携帯用電子メール記憶手段の電子メールデータを送信し、携帯電話用でない電子メールアドレスであると判断された場合は、ＰＣ用電子メール記憶手段に記憶された電子メールデータを送信する。【選択図】  図２
2005025721.tif 000002
【特許請求の範囲】
【請求項１】
電子メールの文面となるテキストデータの入力を受け付けるテキストデータ入力受付手段と、
受け付けられたテキストデータをパーソナルコンピュータの画面での表示に適合したフォーマットの電子メールデータにして記憶するＰＣ用電子メール記憶手段と、
受け付けられたテキストデータを電子メール機能のついた携帯電話の画面での表示に適合したフォーマットの電子メールデータとして記憶する携帯用電子メール記憶手段と、
複数の電子メールアドレスを記憶する電子メールアドレス記憶手段と、
前記電子メールアドレス記憶手段に記憶されている複数の電子メールアドレスの指定を使用者から受け付ける受信者受付手段と、
受け付けられた電子メールアドレスが携帯電話用の電子メールアドレスか携帯電話用でない電子メールアドレスかを判断する電子メールアドレス属性判断手段と、
前記受信者受付手段により受け付けられた個々の電子メールアドレスに関し前記電子メールアドレス属性判断手段により携帯電話用の電子メールアドレスであると判断された場合は、前記携帯用電子メール記憶手段に記憶された電子メールデータを当該電子メールアドレス宛てに送信し、前記電子メールアドレス属性判断手段により携帯電話用でない電子メールアドレスであると判断された場合は、ＰＣ用電子メール記憶手段に記憶された電子メールデータを当該電子メールアドレス宛てに送信する電子メール送信手段と
を有する電子メール送信装置。
【請求項２】
前記電子メール送信装置において、さらに、
前記テキストデータ入力受付手段により受け付けられたテキストデータを、パーソナルコンピューター用の画面での表示に適合した前記フォーマットで表示画面に出力するＰＣ画面用テキスト出力手段と、
前記テキストデータ入力受付手段により受け付けられたテキストデータを、携帯電話用の画面での表示に適合した前記フォーマットで表示画面に出力する携帯画面用テキスト出力手段と、
ＰＣ画面用テキスト出力手段により表示画面に表示されたテキストデータおよび携帯画面用テキスト表示手段により表示画面に表示されたテキストデータに関し使用者の指示を受け付けて同時に編集するテキストデータ編集手段とを有し、
前記ＰＣ用電子メール記憶手段および携帯用電子メール記憶手段は、前記テキストデータ入力受付手段により受け付けられたテキストデータが前記テキストデータ編集手段により編集された場合は、この編集されたテキストデータを記憶する
請求項１に記載の電子メール送信装置。
【請求項３】
前記電子メールアドレス記憶手段は、電子メールアドレスを複数の属性情報と関連付けて記憶し、
前記受信者受付手段は、使用者から属性の指定を受け付け、前記電子メールアドレス記憶手段に記憶されている複数の電子メールアドレスのうち、受け付けられた属性に合致する属性情報と関連付けられた電子メールアドレスを指定された電子メールアドレスとする
請求項１又は２に記載の電子メール送信装置。
【請求項４】
パーソナルコンピューター用の画面での表示に適合したホームページデータのインターネット上におけるアドレス情報であるＰＣ用ＵＲＬ情報と、このホームページデータに対応する携帯電話用の画面での表示に適合したホームページデータのインターネット上におけるアドレス情報である携帯用ＵＲＬ情報とを関連づけて記憶するＵＲＬ記憶手段と、
複数の電子メールアドレスを記憶する電子メールアドレス記憶手段と、
前記電子メールアドレス記憶手段に記憶されている複数の電子メールアドレスの指定を使用者から受け付ける受信者受付手段と、
前記使用者から前記ＰＣ用ＵＲＬ情報の指定を受け付けるＵＲＬ指定受付手段と、
受け付けられた電子メールアドレスが携帯電話用の電子メールアドレスか携帯電話用でない電子メールアドレスかを判断する電子メールアドレス属性判断手段と、
前記受信者受付手段により受け付けられた個々の電子メールアドレスに関し前記電子メールアドレス属性判断手段により携帯電話用の電子メールアドレスであると判断された場合は、ＵＲＬ指定受付手段により受け付けられたＰＣ用ＵＲＬ情報に基づいて、前記ＵＲＬ記憶手段から対応する携帯用ＵＲＬ情報を抽出して、電子メールデータとして当該電子メールアドレス宛てに送信し、前記電子メールアドレス属性判断手段により携帯電話用でない電子メールアドレスであると判断された場合は、ＵＲＬ指定受付手段により受け付けられたＰＣ用ＵＲＬ情報を電子メールデータとして当該電子メールアドレス宛てに送信するＵＲＬ情報送信手段と
を有する電子メール送信装置。
【請求項５】
前記ＵＲＬ指定受付手段が、前記ＰＣ用ＵＲＬを受け付ける代わりに、前記携帯用ＵＲＬ情報を受け付け、
前記ＵＲＬ情報送信手段は、前記受信者受付手段により受け付けられた個々の電子メールアドレスに関し前記電子メールアドレス属性判断手段により携帯電話用の電子メールアドレスであると判断された場合は、前記ＵＲＬ指定受付手段により受け付けられた携帯用ＵＲＬ情報を電子メールデータとして当該電子メールアドレス宛てに送信し、前記電子メールアドレス属性判断手段により携帯電話用でない電子メールアドレスであると判断された場合は、前記ＵＲＬ指定受付手段により受け付けられた携帯用ＵＲＬ情報に基づいて、前記ＵＲＬ記憶手段から対応するＰＣ用ＵＲＬ情報を抽出して、電子メールデータとして当該電子メールアドレス宛てに送信する
請求項４に記載の電子メール送信装置。
【請求項６】
前記電子メールアドレス記憶手段は、電子メールアドレスを複数の属性情報と関連付けて記憶し、
前記受信者受付手段は、使用者から属性の指定を受け付け、前記電子メールアドレス記憶手段に記憶されている複数の電子メールアドレスのうち、受け付けられた属性に合致する属性情報と関連付けられた電子メールアドレスを指定された電子メールアドレスとする
請求項４又は５に記載の電子メール送信装置。
【請求項７】
コンピューターに請求項１から６のいずれか１項に記載の電子メール送信装置としての機能を実現させるプログラム。
【発明の詳細な説明】
【技術分野】
【０００１】
本発明は、電子メールを送信する装置に関し、特に、複数の電子メールアドレスに電子メールを送信する場合にパーソナルコンピューター用の電子メールと携帯電話用の電子メールを効率よく配信する装置に関する。
【背景技術】
【０００２】
近年、携帯用電話を用いた電子メールの普及にともない電子メールが表示される画面は携帯電話の画面とパーソナルコンピューターの画面の２種類が存在することになっている。これらは、画面の大きさがかなり異なるために、それぞれに適切なフォームで作成しないと受信者は見づらい電子メールを読まなければならなくなってしまう。もっとも、通常は、携帯電話用の電子メールは携帯電話で作成し、パーソナルコンピューター用の電子メールはパーソナルコンピューターで作成するのでこのような問題は生じない。
【発明の開示】
【発明が解決しようとする課題】
【０００３】
しかしながら、携帯電話用の電子メールアドレスを含む複数の電子メールアドレスに対して同一内容の文面を送信する場合には、同じフォームの電子メールを送信すると携帯電話もしくはパーソナルコンピューターでの表示に不都合が生じる。これを避けるためには、携帯電話用の電子メールアドレスと、パーソナルコンピューター用の電子メールアドレスを別々にして、それぞれに対して適切なフォームで電子メールを作成し、それそれに対して電子メールを送信すればよいが、送信者の作業は煩雑になる。
さらに、電子メールにホームページのＵＲＬ（Uniform Resource Locator）を送信する場合に、同一内容について携帯電話用とパーソナルコンピューター用のそれぞれに異なるＵＲＬを送らなければならないような場合があり、この場合も携帯電話用の電子メールアドレス向けとパーソナルコンピュータ用の電子メールアドレス向けに別々に電子メールを作成する必要が生じる。
本発明は以上の問題に鑑みて、携帯電話用の電子メールアドレスを含む複数の電子メールアドレスに対して同一内容の電子メールを送信する場合の作業の効率化を図ることを目的とする。
【課題を解決するための手段】
【０００４】
上記課題を解決するために、本発明は次のような構成を有する。
請求項１に記載の発明は電子メール送信装置であり、テキストデータ入力受付手段が電子メールの文面となるテキストデータの入力を受け付け、ＰＣ用電子メール記憶手段が受け付けられたテキストデータをパーソナルコンピュータの画面での表示に適合したフォーマットの電子メールデータにして記憶するとともに、携帯用電子メール記憶手段が受け付けられたテキストデータを電子メール機能のついた携帯電話の画面での表示に適合したフォーマットの電子メールデータとして記憶する。一方、複数の電子メールアドレスを記憶する電子メールアドレス記憶手段を有し、受信者受付手段が前記電子メールアドレス記憶手段に記憶されている複数の電子メールアドレスの指定を使用者から受け付け、電子メールアドレス属性判断手段が  受け付けられた電子メールアドレスが携帯電話用の電子メールアドレスか携帯電話用でない電子メールアドレスかを判断する。そして、電子メール送信手段が前記受信者受付手段により受け付けられた個々の電子メールアドレスに関し前記電子メールアドレス属性判断手段により携帯電話用の電子メールアドレスであると判断された場合は、前記携帯用電子メール記憶手段に記憶された電子メールデータを当該電子メールアドレス宛てに送信し、前記電子メールアドレス属性判断手段により携帯電話用でない電子メールアドレスであると判断された場合は、ＰＣ用電子メール記憶手段に記憶された電子メールデータを当該電子メールアドレス宛てに送信する。
【０００５】
請求項２に記載の発明は、前記電子メール送信装置において、さらに、ＰＣ画面用テキスト出力手段が前記テキストデータ入力受付手段により受け付けられたテキストデータを、パーソナルコンピューター用の画面での表示に適合した前記フォーマットで表示画面に出力するとともに、携帯画面用テキスト出力手段が前記テキストデータ入力受付手段により受け付けられたテキストデータを、携帯電話用の画面での表示に適合した前記フォーマットで表示画面に出力する。そして、テキストデータ編集手段がＰＣ画面用テキスト出力手段により表示画面に表示されたテキストデータおよび携帯画面用テキスト表示手段により表示画面に表示されたテキストデータに関し使用者の指示を受け付けて同時に編集する。また、前記ＰＣ用電子メール記憶手段および携帯用電子メール記憶手段は、前記テキストデータ入力受付手段により受け付けられたテキストデータが前記テキストデータ編集手段により編集された場合は、この編集されたテキストデータを記憶する。
請求項３に記載の発明は、前記電子メールアドレス記憶手段は、電子メールアドレスを複数の属性情報と関連付けて記憶し、前記受信者受付手段は、使用者から属性の指定を受け付け、前記電子メールアドレス記憶手段に記憶されている複数の電子メールアドレスのうち、受け付けられた属性に合致する属性情報と関連付けられた電子メールアドレスを指定された電子メールアドレスとするものである。
【０００６】
請求項４に記載の発明は電子メール送信装置であり、パーソナルコンピューター用の画面での表示に適合したホームページデータのインターネット上におけるアドレス情報であるＰＣ用ＵＲＬ情報と、このホームページデータに対応する携帯電話用の画面での表示に適合したホームページデータのインターネット上におけるアドレス情報である携帯用ＵＲＬ情報とを関連づけて記憶するＵＲＬ記憶手段と、複数の電子メールアドレスを記憶する電子メールアドレス記憶手段とを有する。また、受信者受付手段が前記電子メールアドレス記憶手段に記憶されている複数の電子メールアドレスの指定を使用者から受け付け、さらにＵＲＬ指定受付手段が前記使用者から前記ＰＣ用ＵＲＬ情報の指定を受け付ける。そして、電子メールアドレス属性判断手段が受け付けられた電子メールアドレスが携帯電話用の電子メールアドレスか携帯電話用でない電子メールアドレスかを判断し、ＵＲＬ情報送信手段が前記受信者受付手段により受け付けられた個々の電子メールアドレスに関し前記電子メールアドレス属性判断手段により携帯電話用の電子メールアドレスであると判断された場合は、ＵＲＬ指定受付手段により受け付けられたＰＣ用ＵＲＬ情報に基づいて、前記ＵＲＬ記憶手段から対応する携帯用ＵＲＬ情報を抽出して、電子メールデータとして当該電子メールアドレス宛てに送信し、前記電子メールアドレス属性判断手段により携帯電話用でない電子メールアドレスであると判断された場合は、ＵＲＬ指定受付手段により受け付けられたＰＣ用ＵＲＬ情報を電子メールデータとして当該電子メールアドレス宛てに送信する。
【０００７】
請求項５に記載の発明は、請求項４に記載の電子メール送信装置において、前記ＵＲＬ指定受付手段が、前記ＰＣ用ＵＲＬを受け付ける代わりに、前記携帯用ＵＲＬ情報を受け付け、前記ＵＲＬ情報送信手段は、前記受信者受付手段により受け付けられた個々の電子メールアドレスに関し前記電子メールアドレス属性判断手段により携帯電話用の電子メールアドレスであると判断された場合は、前記ＵＲＬ指定受付手段により受け付けられた携帯用ＵＲＬ情報を電子メールデータとして当該電子メールアドレス宛てに送信し、前記電子メールアドレス属性判断手段により携帯電話用でない電子メールアドレスであると判断された場合は、前記ＵＲＬ指定受付手段により受け付けられた携帯用ＵＲＬ情報に基づいて、前記ＵＲＬ記憶手段から対応するＰＣ用ＵＲＬ情報を抽出して、電子メールデータとして当該電子メールアドレス宛てに送信するものである。
請求項６に記載の発明は、請求項４又は５に記載の電子メール送信装置において、前記電子メールアドレス記憶手段は、電子メールアドレスを複数の属性情報と関連付けて記憶し、前記受信者受付手段は、使用者から属性の指定を受け付け、前記電子メールアドレス記憶手段に記憶されている複数の電子メールアドレスのうち、受け付けられた属性に合致する属性情報と関連付けられた電子メールアドレスを指定された電子メールアドレスとするものである。
請求項７に記載の発明は、コンピューターに請求項１から６のいずれか１項に記載の電子メール送信装置としての機能を実現させるプログラムである。
【発明の効果】
【０００８】
請求項１に記載の発明は、入力したテキストデータがそれぞれパーソナルコンピューターの画面での表示に適したフォーマットの電子メールデータと携帯電話の画面での表示に適したフォーマットの電子メールデータとして生成されて記憶されるとともに、複数の電子メールアドレスの指定に対して自動的にパーソナルコンピュータへの電子メールアドレスにはパーソナルコンピュータ向けのフォーマットの電子メールを送信し、携帯電話への電子メールアドレスには携帯電話向けのフォーマットの電子メールを送信するので、送信者は一度の電子メールの作成と複数の電子メールアドレスの指定のみでパーソナルコンピューターと携帯電話のそれぞれに適切なフォーマットで電子メールを送信することができ、作業の効率化が図られる。
請求項２に記載の発明は、入力したテキストデータがパーソナルコンピューターと携帯電話のそれぞれの画面での表示に適合した表示形態で表示され、一つの編集作業で同時に２つの画面の編集を行うことができるので、やはり作業の効率化が図られる。
請求項３に記載の発明は、属性を指定するだけで複数の電子メールアドレスの指定ができるので、一つ一つ電子メールアドレスを指定する場合に比べて効率的であるだけでなく、属性を同じくする対象者に電子メールを送信することができる。
請求項４に記載の発明は、パーソナルコンピューターのＵＲＬの指定と複数の電子メールアドレスの指定により、パーソナルコンピューターへの電子メールアドレスにはパーソナルコンピューターのＵＲＬ情報を送信し、携帯電話への電子メールアドレスには携帯電話向けのＵＲＬ情報を送信するので、やはり作業の効率化が図られる。
請求項５に記載の発明も請求項４に記載の発明において、パーソナルコンピューターのＵＲＬを指定する代わりに携帯電話のＵＲＬを指定するものであり、やはり同様の効果を奏する。
請求項６に記載の発明は、やはり属性を指定するだけで複数の電子メールアドレスの指定ができるので、一つ一つ電子メールアドレスを指定する場合に比べて効率的であるだけでなく、属性を同じくする対象者に電子メールを送信することができる。
請求項７に記載の発明は、一般的なコンピューターがあれば上記の電子メール送信装置を実現することができる。
【発明を実施するための最良の形態】
【０００９】
以下、本発明の実施の形態について図面を参照しながら説明する。
（実施の形態１）
図１に本電子メール送信装置Ａのハードウエア構成の概要を表すブロック図を示す。電子メール送信装置Ａは一般的なコンピューターにより構成され、具体的には演算処理を行うＣＰＵ１１、ＣＰＵの作業領域となるＲＡＭ１２、基本的なプログラムはデータを記録するＲＯＭ１３、ＣＰＵの動作タイミングを取るためのクロック１４、データやプログラムを記憶するためのハードディスク１５、データーの入力を行うためのキーボード１８、マウス１９などの入力デバイス、情報を表示するためのモニター１６、インターネットに接続するためのルーター等のネットワークインターフェース１７などにより構成される。電子メール送信装置Ａはこのような一般的なコンピューターに下記に示すような動作を行わせるプログラムを組み込むことにより実現され、通信手段を介してインターネット上にクラアントコンピューターとして接続される。
図２に実施の形態１に係る電子メール送信装置Ａの機能を模式的に表す機能ブロック図を示す。電子メール送信装置Ａは機能的に、テキストデータ入力受付部１０１、ＰＣ用テキスト出力部１０２、携帯用テキスト出力部１０３、テキストデータ編集部１０４、ＰＣ用電子メール記憶部１０５、携帯用電子メール記憶部１０６、電子メールアドレス記憶部１０７、受信者受付部１０８、電子メールアドレス属性判断部１０９、電子メール送信部１１０を有する。
【００１０】
テキストデータ入力受付部１０１は電子メールの文面となるテキストデータの入力を受け付ける。
ＰＣ用テキスト出力部１０２は前記テキストデータ入力受付部１０１により受け付けられたテキストデータを、パーソナルコンピューター用の画面での表示に適合したフォーマットで表示画面に出力する。ここでは、パーソナルコンピューターの画面での表示に適合したフォーマットとして改行位置を２０文字としている。
携帯用テキスト出力部１０３は前記テキストデータ入力受付部１０１により受け付けられたテキストデータを、電子メール機能のついた携帯電話の画面での表示に適合したフォーマットで表示画面に出力する。ここでは、携帯電話の画面での表示に適合したフォーマットとして改行位置を８文字としている。なお、ここでは、同一のモニターの所定領域を２分割してそれぞれの領域をＰＣ用テキスト出力部１０２と携帯用テキスト出力部１０３の表示画面としている。図３に表示画面の例を示す。図における左側がＰＣ用テキスト出力部１０２により出力される画面１０２ａであり、右側が携帯用テキスト出力部１０３により出力される画面１０３ａである。１０２ａの画面のテキストデーターはパーソナルコンピューターの電子メールソフトによれば例えば図４（ａ）のように表示され、１０３ａの画面のテキストデーターは携帯電話の電子メールソフトによれば例えば図４（ｂ）のように表示される。
テキストデータ編集部１０４はＰＣ画面用テキス出力部１０２により表示画面に表示されたテキストデータおよび携帯画面用テキスト表示部１０３により表示画面に表示されたテキストデータに関し使用者の指示を受け付けて同時に編集する。具体的には、図３の表示画面において文字の指定、削除、変更等の編集作業をＰＣ用の画面１０２ａに表示されたテキストデータに対して行うと、他方の携帯用の画面１０３ａでも対応するテキストデータの編集が行われる。逆に、携帯用の画面１０３ａ上のテキストデータを編集する場合はＰＣ用の画面１０２ａ上のテキストデータも同時に編集される。
ＰＣ用電子メール記憶部１０５はテキストデータ入力受付部１０１から受け付けられたテキストデータもしくはテキストデータ編集部１０４により編集されたテキストデータをパーソナルコンピュータの画面での表示に適合したフォーマットの電子メールデータにして記憶する。
携帯用電子メール記憶部１０６はテキストデータ入力受付部１０１から受け付けられたテキストデータもしくはテキストデータ編集部１０４により編集されたテキストデータを電子メール機能のついた携帯電話の画面での表示に適合したフォーマットの電子メールデータとして記憶する。
電子メールアドレス記憶部１０７は複数の電子メールアドレスを記憶する。また、各電子メールアドレスには複数の属性情報が関連付けて記憶されている。図４に電子メールアドレス記憶部１０７のレコード内容を模式的に示す。図に示すように電子メールアドレス記憶部１０７は電子メールの送信対象者を識別する会員識別子を主キーとして、電子メールアドレスのほか、氏名、性別、郵便番号、住所、生年月日、職業等の属性情報が記憶されている。
【００１１】
受信者受付部１０８は前記電子メールアドレス記憶手段に記憶されている複数の電子メールアドレスの指定を使用者から受け付ける。具体的には、使用者から属性の指定を受け付け、前記電子メールアドレス記憶部１９７に記憶されている複数の電子メールアドレスのうち、受け付けられた属性に合致する属性情報と関連付けられた電子メールアドレスを指定された電子メールアドレスとする。属性の指定はここでは、図３に示す画面の属性を選択するプルダウンメニュー３０１と、選択した属性を決定する指定ボタン３０２により行われる。
電子メールアドレス属性判断部１０９は電子メールアドレスが携帯電話用の電子メールアドレスか携帯電話用でない電子メールアドレスかを判断する。具体的には電子メールアドレスのドメイン部分が、予め携帯用の電子メールのドメインとして登録されているものと一致するか否かによって携帯電話用の電子メールアドレスか否かが判断される。
電子メール送信部１１０は、前記受信者受付部１０８により受け付けられた個々の電子メールアドレスに関し前記電子メールアドレス属性判部１０９により携帯電話用の電子メールアドレスであると判断された場合は、前記携帯用電子メール記憶部１０６に記憶された電子メールデータを当該電子メールアドレス宛てに送信し、前記電子メールアドレス属性判断部１０９により携帯電話用でない電子メールアドレスであると判断された場合は、ＰＣ用電子メール記憶部１０６に記憶された電子メールデータを当該電子メールアドレス宛てに送信する。
【００１２】
次に、以上のような構成を有する電子メール送信装置の動作について説明する。図５にこの動作を表すフローチャートを示す。まず、操作者は、送信する電子メールの文面となるテキストデータを入力する。すると、これをテキストデータ入力受付部１０１が受け付け（ｓ１０１）、図３に示すような同一画面内に分割された領域に、ＰＣ用テキスト出力部１０２が受け付けられたテキストデータをパーソナルコンピューター用の画面表示に適合したフォーマットで表示するとともに、携帯用テキスト出力部１０３が受け付けられたテキストデータを携帯電話用の画面表示に適合したフォーマットで表示する（ｓ１０２）。ここで、操作者が編集作業を行う場合は編集指示に従って、表示された各画面中のテキストデータが編集される（ｓ１０３、ｓ１０４）。テキストデータが確定すると、それぞれの画面に表示されたパーソナルコンピューター用および携帯電話用のフォーマットの電子メールデータを、ＰＣ用電子メール記憶部１０５および携帯用電子メール記憶部１０６がそれぞれ記憶する（ｓ１０５）。次に、操作者が送信対象者の属性情報を指定すると、受信者受付部１０８がこの属性情報を受け付け（ｓ１０６）、受け付けられた属性に関連づけられて記憶された電子メールアドレスを電子メールアドレス記憶部１０７から抽出し、これを指定された電子メールアドレスとする（ｓ１０７）。その後、指定された電子メールアドレスについて、電子メールアドレス判断部１０９が携帯電話用の電子メールアドレスかパーソナルコンピューター用の電子メールアドレスかを判断し（ｓ１０８）、携帯電話用の電子メールアドレスに対しては携帯用電子メール記憶部１０６に記憶された電子メールデータを送信し（ｓ１０９）、パーソナルコンピューター用の電子メールアドレスに対してはＰＣ用電子メール記憶部に記憶された電子メールを送信する（ｓ１１０）。
このｓ１０８からｓ１１０までの動作を指定された電子メールアドレスのすべてに対して行う。
【００１３】
（実施の形態２）
以下、発明の実施の形態２について図面を参照しながら説明する。
図７に実施の形態に係る電子メール送信装置Ｂの機能を模式的に表す機能ブロック図を示す。本電子メール送信装置Ｂのハードウエア構成は実施の形態１に係る電子メール送信装置Ａと同じであり、一般的なコンピューターに下記動作を行うプログラムを組み込むことにより実現され、通信手段を介してインターネット上にクラアントコンピューターとして接続される。
電子メール送信装置Ｂは、電子メールアドレス記憶部１０７、受信者受付部１０８、電子メールアドレス属性判断部１０９、ＵＲＬ記憶部１１１、ＵＲＬ指定受付部１１２、ＵＲＬ情報送信部１１３を有する。
電子メールアドレス記憶部１０７、受信者受付部１０８、電子メールアドレス属性判断部１０９は実施の形態１に係る電子メール送信装置Ａと同じなので説明を省略する。
【００１４】
ＵＲＬ記憶部１１１はパーソナルコンピューター用の画面での表示に適合したホームページデータのインターネット上におけるアドレス情報であるＰＣ用ＵＲＬ情報と、このホームページデータに対応する携帯電話用の画面での表示に適合したホームページデータのインターネット上におけるアドレス情報である携帯用ＵＲＬ情報とを関連づけて記憶する。
ＵＲＬ指定受付部１１２は使用者から前記ＰＣ用ＵＲＬ情報の指定もしくは前記携帯用ＵＲＬの指定を受け付ける。
ＵＲＬ情報送信部１１３は前記受信者受付部１０８により受け付けられた個々の電子メールアドレスに関し前記電子メールアドレス属性判断部１０９により携帯電話用の電子メールアドレスであると判断された場合には、ＵＲＬ指定受付部１１２により受け付けられた情報がＰＣ用ＵＲＬ情報であれば前記ＵＲＬ記憶部１１１から対応する携帯用ＵＲＬ情報を抽出して、電子メールデータとして当該電子メールアドレス宛てに送信する。一方、ＵＲＬ指定受付部１１２により受け付けられた情報が携帯用ＵＲＬ情報であれば、その携帯用ＵＲＬを電子メールデータとして当該電子メールアドレス宛てに送信する。また、前記電子メールアドレス属性判断部１０９により携帯電話用でない電子メールアドレスであると判断された場合には、ＵＲＬ指定受付部１１２により受け付けられた情報が携帯用ＵＲＬ情報であれば前記ＵＲＬ記憶部１１１から対応するＰＣ用ＵＲＬ情報を抽出して、電子メールデータとして当該電子メールアドレス宛てに送信する。一方、ＵＲＬ指定受付部１１２により受け付けられた情報がＰＣ用ＵＲＬ情報であれば、そのＰＣ用ＵＲＬを電子メールデータとして当該電子メールアドレス宛てに送信する。
【００１５】
次に、このような構成を有する電子メール送信装置Bの動作について説明する。図８にこの動作を示すフローチャートを示す。まず、操作者は送信するＵＲＬを入力する。このＵＲＬはパーソナルコンピューター用のホームページデータを記録した場所を示すものか、携帯電話用のホームページデータを記録した場所を示すものかは問わない。このＵＲＬの指定をＵＲＬ指定受付部１１２が受け付ける（ｓ２０１）。次に、操作者は送信対象者の属性情報を指定すると、受信者受付部１０８がこの属性情報を受け付け（ｓ２０２）、受け付けられた属性に関連づけられて記憶された電子メールアドレスを電子メールアドレス記憶部１０７から抽出し、これを指定された電子メールアドレスとする（ｓ２０３）。
この指定された電子メールアドレスが携帯電話用のものかパーソナルコンピューター用のものかを電子メールアドレス属性判断部１０９が判断する（ｓ２０４）。ここで、携帯電話用の電子メールアドレスであった場合は、ＵＲＬ情報送信部１１３は受け付けられたＵＲＬが携帯電話用のＵＲＬかどうかをＵＲＬ記憶部１１１を参照して判断し（ｓ２０５）、携帯電話用のＵＲＬであれば、このＵＲＬをそのまま記載した電子メールを当該電子メールアドレス宛てに送信する（ｓ２０６）。一方、ＵＲＬ情報送信部１１３がパーソナルコンピューター用のＵＲＬであると判断した場合は、ＵＲＬ記憶部１１１から受け付けられたＵＲＬに関連付けられたパーソナルコンピューター用のＵＲＬを抽出し（ｓ２０７）、この抽出されたＵＲＬを記載した電子メールを当該電子メールアドレス宛てに送信する（ｓ２０８）。一方、ｓ２０４でパーソナルコンピューター用の電子メールアドレスであると判断された場合は、ＵＲＬ情報送信部１１３は受け付けられたＵＲＬがパーソナルコンピューター用のＵＲＬかどうかをＵＲＬ記憶部１１１を参照して判断し（ｓ２０９）、パーソナルコンピューター用のＵＲＬであれば、このＵＲＬをそのまま記載した電子メールを当該電子メールアドレス宛てに送信する（ｓ２１０）。一方、ＵＲＬ情報送信部１１３が携帯電話用のＵＲＬであると判断した場合は、ＵＲＬ記憶部１１１から受け付けられたＵＲＬに関連付けられた携帯電話用のＵＲＬを抽出し（ｓ２１１）、この抽出されたＵＲＬを記載した電子メールを当該電子メールアドレス宛てに送信する（ｓ２１２）。このｓ２０４からｓ２１２までの動作が指定されたすべての電子メールアドレスについて完了するまで繰り返される（ｓ２１３）。
【図面の簡単な説明】
【００１６】
【図１】実施の形態１に係る電子メール送信装置のハードウエア構成を模式的に示すブロック図である。
【図２】実施の形態１に係る電子メール送信装置の機能を模式的に示す機能ブロック図である。
【図３】テキストデータが分割して表示された画面の例を示す図である。
【図４】（ａ）はパーソナルコンピューター用のフォーマットで表されたテキストデータがパーソナルコンピューターの電子メールソフトで表示された例を示す図であり、（ｂ）は携帯電話用のフォーマットで表されたテキストデータが携帯電話の電子メールソフトで表示された例を示す図である。
【図５】電子メールアドレス記憶部のレコード内容を模式的に示す図である。
【図６】実施の形態１に係る電子メール送信装置の動作を示すフローチャートである。
【図７】実施の形態２に係る電子メール送信装置の機能を模式的に示す機能ブロック図である。
【図８】実施の形態２に係る電子メール送信装置の動作に示すフローチャートである。
【符号の説明】
【００１７】
１０１  テキストデータ入力受付部
１０２  ＰＣ用テキスト出力部
１０３  携帯用テキスト出力部
１０４  テキストデータ編集部
１０５  ＰＣ用電子メール記憶部
１０６  携帯用電子メール記憶部
１０７  電子メールアドレス記憶部
１０８  受信者受付部
１０９  電子メールアドレス属性判断部
１１０  電子メール送信部
１１１  ＵＲＬ記憶部
１１２  ＵＲＬ指定受付部
１１３  ＵＲＬ情報送信部
【図１】
2005025721.tif 000003
【図２】
2005025721.tif 000004
【図３】
2005025721.tif 000005
【図４】
2005025721.tif 000006
【図５】
2005025721.tif 000007
【図６】
2005025721.tif 000008
【図７】
2005025721.tif 000009
【図８】
2005025721.tif 000010